(57)【要約】【課題】  従来のネットワークプリンタにおけるＢＯＸ機能では、ジョブ投入の際、画像出力先をジョブのセキュリティレベルに関係無く自由に選定でき、誤って出力先を選定しまった場合もその画像出力装置にデータは送付されていた。【解決手段】  ＰＣなどの画像処理装置からプリンタに印刷データのプリントを依頼する際、印刷データにＩＤ情報を付加してプリントサーバに送信する。プリントサーバでは印刷データにＩＤ情報が付加しているか判別し、付加されていればＩＤ情報のセキュリティレベルに基づき、所望のプリンタへのジョブの転送を制御する。【選択図】  図７
2006195880.tif 000002
【特許請求の範囲】
【請求項１】
画像処理装置と情報処理装置が接続された画像形成システムにおいて、
前記画像処理装置は、
認証情報が付加された印刷データを情報処理装置に送信し、
前記情報処理装置は、
前記印刷データを受信し、前記印刷データに認証情報が付加されているか判別し、
前記判別結果に基づき、前記印刷データの出力先を制御する
ことを特徴とする画像形成システム。
【請求項２】
前記認証情報は生体情報であることを特徴とする請求項１記載の画像形成システム。
【請求項３】
前記判別結果に加えて、前記認証情報と前記出力先のセキュリティレベルに基づき、前記印刷データの出力先を制御することを特徴とする請求項１記載の画像形成システム。
【請求項４】
前記情報処理装置は、前記認証情報と前記セキュリティレベルを対応づけたテーブルを記憶していることを特徴とする請求項１記載の画像形成システム。
【請求項５】
前記情報処理装置は、前記出力先と前記セキュリティレベルを対応づけたテーブルを記憶していることを特徴とする請求項１記載の画像形成システム。
【請求項６】
印刷データを入力する入力手段と、
前記印刷データに認証情報が付加されているかを判別する判別手段と、
前記判別手段による判別結果に基づき、前記印刷データの出力先を制御する制御手段と、
を有することを特徴とする情報処理装置。
【請求項７】
前記認証情報は生体情報であることを特徴とする請求項６記載の情報処理装置。
【請求項８】
前記制御手段において、前記判別結果に加えて前記認証情報と前記出力先のセキュリティレベルに基づき、前記印刷データの出力先を制御することを特徴とする請求項６記載の情報処理装置。
【請求項９】
さらに、前記認証情報と前記セキュリティレベルを対応づけたテーブルを記憶する記憶手段を有することを特徴とする請求項６記載の情報処理装置。
【請求項１０】
さらに、前記出力先と前記セキュリティレベルを対応づけたテーブルを記憶する記憶手段を有することを特徴とする請求項６記載の情報処理装置。
【請求項１１】
印刷データを入力する入力ステップと、
前記印刷データに認証情報が付加されているかを判別する判別ステップと、
前記判別ステップによる判別結果に基づき、前記印刷データの出力先を制御する制御ステップと、
を有することを特徴とする情報処理方法。
【請求項１２】
印刷データに認証情報が付加されているかを判別する判別コードと、
前記判別コードによる判別結果に基づき、前記印刷データの出力先を制御する制御コードと、
をコンピュータに実行させるプログラム。
【発明の詳細な説明】
【技術分野】
【０００１】
本発明は、認証情報に基づき出力先を制御する情報処理装置及び情報処理方法及びコンピュータプログラム及び画像形成システムに関する。
【背景技術】
【０００２】
従来、プリントジョブのセキュリティを確保するために画像出力機器においてＢＯＸ印刷という機能がある。この機能は、ホストから画像出力機器へジョブＩＤまたはユーザＩＤを付与してデータを送信し、受信したデータを画像出力機器内の記憶媒体に記憶する。そして、データ印刷時、受信データに予め付与されたジョブＩＤあるいは画像データ生成者のユーザパスワード等のユーザＩＤを入力し、認証後印刷される機能で、不特定のユーザに画像出力され情報が漏洩することを防ぐことができる（例えば、特許文献１参照）。
【特許文献１】特開平１１−３０１０５８号公報
【発明の開示】
【発明が解決しようとする課題】
【０００３】
上記従来の方法によれば、ＩＤ認証により印刷を制御することができるが、ＩＤが第三者に漏洩したり、カードが盗まれたりした場合に画像出力機器内の印刷データを第三者に持っていかれる恐れがある。また、従来のネットワークプリンタにおけるＢＯＸ機能では、ジョブ投入の際、画像出力先をジョブのセキュリティレベルに関係無く自由に選定でき、誤ってＢＯＸ機能のない画像出力機器を選択した場合、その画像出力装置にデータは送付されてしまい、出力済の印刷データを第三者に持っていかれる恐れがある。
【０００４】
本発明はこのような課題に対してなされたものであり、ジョブに付加された認証情報に基づき、出力する画像形成装置が制限され、セキュリティの低い画像出力機器にセキュリティレベルの高い情報が送付されることを防ぐことが可能な情報処理装置を提供することを目的とする。
【課題を解決するための手段】
【０００５】
上記目的を達成するために、本発明の情報処理装置は、印刷データを入力する入力手段と、前記印刷データに認証情報が付加されているか判別する判別手段と、前記判別手段による判別結果により、前記印刷データの出力先を制御する制御手段と有することを特徴とする。
【発明の効果】
【０００６】
本発明によれば、投入されるジョブに付随する認証情報に基づいて、出力する印刷装置を限定し、不特定多数のユーザが使用するようなセキュリティの低い画像出力機器にセキュリティレベルの高い情報が送付されることを防ぐことが可能となり、よりセキュリティレベルの高い画像形成システムを提供することができる。
【発明を実施するための最良の形態】
【０００７】
＜第１実施形態＞
以下、添付の図面を参照して本発明の好適な実施形態について説明する。
【０００８】
●システム構成
図１は、本実施形態における画像形成システムの概略を示すブロック図である。図１に示されるように、本実施形態の画像形成システム１００では、ＬＡＮ１１２上に複数のクライアントマシンとしてのコンピュータ１０１、１０９、画像形成装置１０７，１０８，１１０、プリンタサーバ１０２とが設置されている。コンピュータ１０１，１０９はユーザが通常使用するパーソナルコンピュータであり、ドキュメントを作成したり、ネットワーク上の他のコンピュータとの間で電子メールの授受等を行っている。コンピュータ１０９は、キーボードを通じてキー入力によるＩＤ登録手段を有するのに対し、コンピュータ１０１は、キー入力によるＩＤ登録手段に加えてＩＤ情報入力装置１２１を備えている。プリンタサーバ１０２は、プリントキューの管理、ユーザアカウントの管理等を行っている。プリンタサーバ１０２は印刷データに付加されたＩＤ情報を判別する機能を有し、更に判別したＩＤ情報に対応するセキュリティレベルを判別する機能も有している。
【０００９】
画像形成装置１０７、１０８、１１０は、大型の液晶タッチパネルを有し、スキャナ機能とプリンタ機能を併用する複合画像形成装置である。すなわち、単体として複写機能を有する他、光磁気ディスクユニット１１４、１１５を接続することにより、電子ファイリング装置としての機能を有する。また、画像形成装置１０７、１０８、１１０はコンピュータ１０１、１０９用のプリンタとしても機能し、コンピュータ１０１、１０９で作成されたドキュメントに係わる画像形成用コマンドデータ等をＬＡＮ１１２を介して受信し、ビットマップの画像データに展開して印刷を行う。画像形成装置１１０には、ＩＤ情報入力装置１２１を備え、このＩＤ情報入力装置１２１から入力されたＩＤ情報によるＩＤ認証手段を有する。画像形成装置１０８は、認証手段を有さないセキュリティレベルの最も低い装置となる。また、各画像形成装置毎にセキュリティレベルを有しており、印刷ジョブのセキュリティレベルに応じて出力できる画像形成装置が特定される。すなわち、セキュリティレベルの低いジョブに対しては、セキュリティレベルの低い画像形成装置で印刷され、セキュリティレベルの高いジョブに対しては、セキュリティレベルの高い画像形成装置で印刷される。
【００１０】
上述の画像形成システムは、システム立上げ時に各画像形成装置１０７、１０８、１１０から、各画像形成装置のセキュリティレベルがプリンタサーバ１０２に通知され、プリンタサーバ１０２は各画像形成装置のセキュリティレベルを把握している。
【００１１】
本実施形態において、よりセキュリティの高い画像形成システムを提供するために、ＩＤ情報入力装置１２１として指紋読取装置を用いて指紋認証を行うが、もちろん数字の組み合わせによるＩＤ情報を用いるバスワード認証あるいは人間の体の一部を用いて認証を行うバイオメトリクス認証を用いてもよい。
【００１２】
●装置構成の説明
＜画像形成装置＞
図８は、画像形成装置１０７，１０８，１１０の構成図である。図８において、スキャナ部２００とプリンタ部１００が物理的に一体化されて配置されているが、分離されて配置されていてもよい。スキャナ部２００は、原稿積載台としてのプラテンガラス２０１、走査ミラー２０４，２０５，２０６、レンズ２０７、イメージセンサ２０８で構成されている。また、プリンタ部１００は、大別して、画像形成部１０（４つのステーションａ、ｂ、ｃ、ｄが並設されており、その構成は同一である。）、給紙ユニット２０、中間転写ユニット３０、定着ユニット４０及び制御ユニット（不図示）から構成される。
【００１３】
図９は、画像形成装置１１０の制御ブロック図である。画像形成装置１１０は、基本制御を行うＣＰＵ１７１、制御プログラムが書き込まれたＲＯＭ１７４、処理を行うためのワークＲＡＭ１７５、入出力ポート１７３等により構成され、それぞれの機能がアドレスバス、データバスにより接続されている。入出力ポート１７３には、画像形成装置１１０を制御するモータ、クラッチ等の各種負荷（不図示）や、紙の位置を検知するセンサ等の入力（不図示）が接続されている。
【００１４】
ＣＰＵ１７１はＲＯＭ１７４に格納されたプログラムに基づいて各種制御を行う。例えば、入出力ポート１７３を介して順次入出力の制御を行い画像形成動作を実行する。又、ＣＰＵ１７１には操作部１７２が接続されており、操作部１７２の表示手段、キー入力手段を制御する。操作者はキー入力手段をとおして、画像形成動作モードや、表示の切り替えをＣＰＵ１７１に指示し、ＣＰＵ１７１は画像形成装置１１０の状態や、キー入力による動作モード設定の表示を行う。ＣＰＵ１７１には、画像処理部１７０と、処理された画像を蓄積する画像メモリ部３が接続されている。
【００１５】
画像メモリ部３にはリーダ部２００と外部Ｉ／Ｆ処理部４とプリンタ部１００が接続される。
【００１６】
リーダ部２００で読み込まれた原稿画像は、所定の画像処理が行われた後、画像メモリ部３に送られ、蓄積される。外部Ｉ／Ｆ処理部４から入力される画像データは、既に画像処理が行われているため、そのまま画像メモリ部３に送られる。
【００１７】
リーダ部２００と外部Ｉ／Ｆ処理部４から画像メモリ部３に送られた画像データはプリンタ部１００に送られ、シート上に画像形成される。
【００１８】
＜コンピュータ装置＞
図４は、コンピュータ１０１の構成を表すブロック図である。コンピュータ１０１は、外部Ｉ／Ｆ２０５を介して、指紋読取装置１２１と接続されており、ＩＤ情報付加部２０２において印刷データにＩＤ情報の付加を行う。操作部２０３はキーボードやタッチパネルなどであり、操作部２０３においてユーザＩＤを入力することができる。
【００１９】
＜指紋読取装置＞
図２は、指紋読取装置の構成図であり、まず指紋読み取り部１７６でユーザの指紋を撮像し、指紋の読み取りを行う。次に読み取った指紋に対応するアナログ画像信号をアンプ１７７で増幅させ、増幅したアナログ信号をＡ／Ｄ変換部１７８でデジタルデータに変換し、指紋情報処理部１７９はデジタルデータから指紋の特徴量データを抽出する。そして、抽出された指紋特徴量データを外部Ｉ／Ｆ１８０を経由してコンピュータまたは画像形成装置へ出力する。
【００２０】
個人認証時、パーソナルコンピュータ１０１に記録されている個人情報データを所定のタイミングで読み出して、Ａ／Ｄ変換部１７８、指紋情報処理部１７９を介して入力されるユーザの指紋に対応する特徴量データと比較して、予め登録されているユーザであるか否かを判断することも可能である。
【００２１】
図３は、図２の指紋読取部１７６の詳細図である。指５０４を読み取り面５０３上におき、指紋を読み取る。ＬＥＤ５０１は、所定の強度の光を、平板ガラス５０２上面の読み取り面５０３に照射する。読み取り面５０３には、ユーザの指５０４が置かれる。読み取り面５０３にあたって反射した反射光のうち、指紋凸部のものは平板ガラス５０２の底の反射面５０５にて全反射し、指紋凹部のものは平板ガラス５０２を透過する。
【００２２】
反射面５０５にて全反射した指紋凸部の反射光は折り返しミラー５０６で折り返し、レンズ５０７で集光される。レンズ５０７で集光された反射光はさらに折り返しミラー５０８で再度折り返され、読み取りセンサ５０９に入射される。読み取りセンサ５０９は、光の入力に応じて蓄電容量が変化する半導体素子（フォトダイオード）を用いて、光（画像）信号を電気信号に変換するものである。
【００２３】
●印刷処理の流れ
次に、印刷処理の全体の流れについて説明する。図１２は、印刷処理の流れを説明する図である。
【００２４】
コンピュータ１０１に格納されている印刷データを所望の印刷装置（例えば、画像形成装置１０７）において出力しようとするとき、Ｓ５０１で、まず、コンピュータ１０１の操作部２０３またはコンピュータに接続されている指紋読取装置１２１でユーザのＩＤ情報またはを入力し、さらに所望の印刷装置を選択する。なお、ＩＤ情報はジョブに予め付加されているＩＤ情報でもよい。
【００２５】
次に、Ｓ５０２では、印刷データにＩＤ情報を付加し、プリンタサーバ１０２に送信する。
【００２６】
Ｓ５０３で、プリンタサーバ１０２のＩＤ情報判別部３０２において、印刷データのＩＤ情報の判別を行う。
【００２７】
Ｓ５０４では、ＩＤ情報判別部３０２が印刷データに付加されているＩＤ情報を認識し、認識できたらＳ５０５に進み、認識できない場合はＳ５０６に進む。
【００２８】
Ｓ５０５では、セキュリティ機能をもった印刷装置に印刷データが送信され、Ｓ５０７で印刷が実行される。
【００２９】
Ｓ５０６では、Ｓ５０１において選択された印刷装置に印刷データを送信し、Ｓ５０７において印刷が実行される。なお、Ｓ５０２で送信される印刷データ（画像形成コマンド）には、送信元のコンピュータ１０１、及びコンピュータ１０１でプリント指示した出力先の印刷装置のネットワーク上のアドレスを示すドメインアドレスがそれぞれ付加される。
【００３０】
次にコンピュータ１０１における処理手順を詳細に説明する。図５はコンピュータ１０１の処理を説明する図である。まず、コンピュータ１０１の制御部（ＣＰＵ）２０６は印刷データの出力要求（Ｓ１０１）があった場合に、印刷データにＩＤ情報（認証情報）を付加するか否かをユーザに問い合わせる（Ｓ１０２）。このときユーザが印刷データにＩＤ情報の付加を要求しなかった場合は、Ｓ１０５にすすみ、印刷データを出力する印刷装置を選択し、プリンタサーバ１０２へ印刷データを出力する。ユーザがＩＤ情報の付加を要求した場合は、コンピュータ１０１の操作部２０３からパスワード等のＩＤ情報または指紋読取装置１２１で読み取った指紋のＩＤ情報を入力する（Ｓ１０３）。なお、指紋のＩＤ情報は、指紋読取装置１２１で読み取った指紋情報を外部Ｉ／Ｆ２０５を経由してコンピュータ１０１に入力される。出力しようとしている印刷データは画像データ格納部２０４に格納されており、印刷データを画像データ格納部２０４からＩＤ情報付加部２０２へ入力し、ＩＤ情報付加部２０２において印刷データにＩＤ情報が付加される（Ｓ１０４）。次に、印刷装置を選択し（Ｓ１０５）、ネットワークＩ／Ｆ２０１を経由して印刷データはプリンタサーバ１０２へ出力される（Ｓ１０６）。
【００３１】
次にプリンタサーバ１０２における処理手順を詳細に説明する。図６はプリンタサーバ１０２の構成を表す図であり、図７はプリンタサーバ１０２の処理を説明する図である。
【００３２】
まず、プリンタサーバ１０２はネットワークＩ／Ｆ３０１を経由して、コンピュータから印刷データを受信し（Ｓ２０１）、印刷データを入力する。入力された印刷データは、ＩＤ情報判別部３０２に送信され、ＩＤ情報（認証情報）の判別を行い（Ｓ２０２）、印刷データにＩＤ情報が付加されているかどうかＩＤ情報判別部３０２において判別を行う（Ｓ２０３）。受信した印刷データにＩＤ情報が付加されていない場合、ＩＤ情報が付加されていない旨が制御部３０３に通知され、印刷データは一旦画像データ格納部３０４に格納される。そして、出力先アドレス判別部３０５によって、印刷データに付加されている印刷指定された出力先のドメインアドレスを判別し（Ｓ２０６）、判別されたドメインアドレスの印刷装置に印刷データの転送を行う（Ｓ２０８）。
【００３３】
Ｓ２０３で受信した印刷データにＩＤ情報が付加されていると判別された場合、ＩＤ情報が付加されている旨が制御部３０３に通知される。そしてＳ２０４で、出力先アドレス判別部３０５によって、印刷データに付加されているドメインアドレスを判別する。
【００３４】
Ｓ２０５では、ドメインアドレスにて指定されている出力先の印刷装置にセキュリティ保護機能があるかどうかが判定され、印刷装置がＩＤ情報の認証手段等のセキュリティを保護する機能を持つ場合、Ｓ２０８に進み、セキュリティを保護する機能を持たない場合、Ｓ２０７に進み、エラー表示をユーザのコンピュータに通知する。ＩＤ情報判別部３０２と出力先アドレス判別部３０５の判別結果から、制御部３０３がどの出力先に印刷データを転送するか制御を行う。ＩＤ情報判別部３０２において、印刷データにＩＤ情報が付加されていると判別され、出力先アドレス判別部３０５において、出力先の印刷装置にはＢＯＸや認証手段などのセキュリティ保護機能があると判別されると、コンピュータで指定された印刷装置に印刷データを送信する。また、ＩＤ情報判別部３０２において、印刷データにＩＤ情報が付加されていると判別され、出力先アドレス判別部３０５において、出力先の印刷装置にはＢＯＸや認証手段などのセキュリティ保護機能がないと判別されると、コンピュータで指定された印刷装置への印刷データの送信を行わずに、コンピュータにエラー通知を送信する。
【００３５】
Ｓ２０８では、印刷データは一旦画像データ格納部３０４に格納された後、出力先アドレス判別部３０５によって判別されたドメインアドレスにて指定されている出力先の印刷装置に印刷データの転送を行う。
【００３６】
Ｓ２０７では、印刷データは画像出力装置に送信されずエラー処理となり、エラー表示をユーザのコンピュータに通知する。
【００３７】
次に、印刷装置におけるＩＤ認証及び画像出力方法に関して説明を行う。
【００３８】
プリンタサーバ１０２から受信した印刷データは、外部Ｉ／Ｆ処理部４を経由して画像形成装置１１０に取り込まれ、画像処理部１７０にてＩＤ情報を判別し、ＩＤ情報がない場合はそのまま出力される。ＩＤ情報がある場合は、ＩＤの認証作業をユーザに促し、画像処理部１７０がユーザが入力したＩＤ情報とデータに付加されているＩＤ情報が一致すると判別すると、画像形成され、一致しないと画像形成されない。例えば、コンピュータ１０１の指紋読取装置１２１にてＩＤ情報を付加した場合は、画像形成装置１１０の指紋読取装置１２１にてＩＤ情報を取り込み、その判別結果が一致した時のみ画像が出力される。
【００３９】
以上説明したように、上記実施形態１によれば、出力先の印刷装置がセキュリティ保護機能を有しているか否かによって印刷データの送信の制御を行うため、ＩＤ情報を有する印刷データが、誤ってセキュリティ保護機能がない印刷装置に送信され印刷されてしまうことを防ぐことができる。
【００４０】
＜第２実施形態＞
第１実施形態では、プリンタサーバ１０２においてＩＤ情報の判別を行い、ＩＤ情報が付加された印刷データを受信した場合は、セキュリティ保護機能を有する１０７、１１０への画像出力が可能であった。すなわちコンピュータ１０１において、セキュリティレベルの高いＩＤ情報を付加しても、セキュリティ保護機能を有する全ての印刷装置に印刷データは送信される。
【００４１】
第１実施形態では、ＩＤ情報が付加されていると、印刷装置のセキュリティレベルに関係なく、セキュリティ保護機能を有する印刷装置に送信していたが、第２実施形態では、ユーザが入力したＩＤ情報のセキュリティレベルより高いセキュリティレベルをもつ印刷装置に印刷データが転送される。以下で、詳細な説明を行う。
【００４２】
全体のシステム構成に関しては第１実施形態と同様であり、コンピュータ、画像出力装置における処理も同様であるが、プリンタサーバにおける処理が異なる。図１０は、第２の実施形態におけるサーバ１０２の構成を表す図であり、図６と異なる部分は、ＩＤ情報判別部３０２のあとにＩＤ情報識別部３０６が付加されている点である。ＩＤ情報識別部３０６には、図１３のようなＩＤ情報とセキュリティレベルが対になったテーブルが格納されており、出力先アドレス判別部３０５には、印刷装置とセキュリティレベルが対になったテーブルが格納されており、テーブルを記憶する記憶部としても使われる。そのテーブルから、制御部３０３において印刷データに付加されてきたＩＤ情報に対する印刷装置が決定される。印刷データに付加されているＩＤ情報に対応するセキュリティレベルよりも高いセキュリティレベルをもつ印刷装置にのみ印刷データを転送することができ、ＩＤ情報に対応するセキュリティレベルよりも低いセキュリティレベルをもつ印刷装置には印刷データを転送することができない。
【００４３】
例えば、コンピュータ１０１で印刷装置ａを選択し、ＩＤ情報ｄｅｆを付加した印刷データをプリンタサーバ１０２に送信したとする。ＩＤ情報ｄｅｆはセキュリティレベル「２」であり、印刷装置ａはセキュリティレベル「３」であるので、ＩＤ情報のセキュリティレベルよりも印刷装置のセキュリティレベルのほうがセキュリティレベルが高いので、コンピュータ１０１で選択した印刷装置ａに印刷データを送信することができる。また、コンピュータ１０１で印刷装置ｃを選択し、ＩＤ情報ｄｅｆを付加した印刷データをプリンタサーバ１０２に送信したとする。ＩＤ情報ｄｅｆはセキュリティレベル「２」であり、印刷装置ｃはセキュリティレベル「１」であるので、ＩＤ情報のセキュリティレベルよりも印刷装置のセキュリティレベルのほうがセキュリティレベルが低いので、コンピュータ１０１で選択した印刷装置ｃに印刷データの送信を行わず、ユーザのコンピュータ１０１にエラー通知を送信する。
【００４４】
また、コンピュータにおいてキー入力による暗号データはＩＤ情報の情報量が少なく、指紋の特徴量データから作成されたＩＤ情報は情報量が多いということを利用してセキュリティレベルの識別をしてもよい。例えばキー入力による暗号データのＩＤ情報は情報量が少ないため、セキュリティレベルを「１」とし、指紋の特徴量データから作成されたＩＤ情報は情報量が多いため、セキュリティレベルを「３」とする。
【００４５】
図１１にプリンタサーバ１０２における処理を説明する図を示す。
【００４６】
図１１のＳ２０１〜Ｓ２０３、Ｓ２０６〜Ｓ２０８については第１実施形態と同じ処理であるため説明を省略し、以下でＳ４０１〜Ｓ４０３の処理について説明する。
【００４７】
Ｓ４０１では、ＩＤ情報が付加されている旨、制御部３０３に通知する。そして出力先アドレス判別部３０５によって、印刷データに付加されているドメインアドレスを判別し、ＩＤ情報識別部３０６によって、印刷データに付加されているＩＤ情報を識別し、出力先とＩＤ情報のセキュリティレベルを制御部３０３に通知する。
【００４８】
Ｓ４０２では、制御部３０３が、出力先のセキュリティレベルと、ＩＤ情報に対応するセキュリティレベルを比較する。
【００４９】
Ｓ４０３で、制御部３０３が出力先の印刷装置のセキュリティレベルが、ＩＤ情報に付加されたセキュリティレベルより高いかどうかを判別し、高い場合はＳ２０８にすすみ、低い場合Ｓ２０７にすすみエラー表示をコンピュータ１０１に通知する。
【００５０】
以上説明したように、上記第２実施形態によれば、印刷データの出力先のセキュリティレベルと印刷データに付加されたＩＤ情報のセキュリティレベルを比較し、出力先のセキュリティレベルとＩＤ情報のセキュリティレベルに応じて、所望の印刷装置への印刷データの転送を制御を行うので、更にセキュリティレベルの高い画像形成システムの構築が可能となる。
【００５１】
＜その他の実施形態＞
なお、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても達成される。
【００５２】
この場合、記憶媒体から読み出されたプログラムコード自体が前述した実施形態の機能を実現することになり、そのプログラムコード又はそのプログラムコードを記憶した記憶媒体は本発明を構成することになる。
【００５３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、ＤＶＤ−ＲＯＭ、ＤＶＤ−Ｒ、磁気テープ、不揮発性のメモリカード、ＲＯＭ、ネットワーク上のファイルサーバが有する記憶装置、或いは、インターネット上のＦＴＰサーバが有する記憶装置など、あらゆる記録媒体を用いることができる。
【００５４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００５５】
本発明は上記実施形態に限定されるものではなく、本発明の趣旨に基づき種々の変形（各実施形態の有機的な組合せを含む）が可能であり、それらを本発明の範囲から排除するものではない。
【００５６】
本発明の様々な例と実施形態を示して説明したが、当業者であれば、本発明の趣旨と範囲は、本明細書内の特定の説明に限定されるものではない。
【図面の簡単な説明】
【００５７】
【図１】本実施形態による画像形成システムの概略を示す図。
【図２】本実施形態の指紋読取装置の構成図。
【図３】本実施形態の指紋読取部の構成図。
【図４】本実施形態のコンピュータの構成図。
【図５】本実施形態のコンピュータの処理を説明する図。
【図６】第１実施形態のプリントサーバの構成図。
【図７】第１実施形態のプリントサーバの処理を説明する図。
【図８】本実施形態の画像形成装置の構成図。
【図９】本実施形態の画像形成装置の制御ブロック図。
【図１０】第２実施形態のプリントサーバの構成図。
【図１１】第２実施形態のプリントサーバの処理を説明する図。
【図１２】本実施形態における印刷処理の流れを説明する図。
【図１３】本実施形態におけるＩＤ情報識別部に格納されているテーブル。
【図１】
2006195880.tif 000003
【図２】
2006195880.tif 000004
【図３】
2006195880.tif 000005
【図４】
2006195880.tif 000006
【図５】
2006195880.tif 000007
【図６】
2006195880.tif 000008
【図７】
2006195880.tif 000009
【図８】
2006195880.tif 000010
【図９】
2006195880.tif 000011
【図１０】
2006195880.tif 000012
【図１１】
2006195880.tif 000013
【図１２】
2006195880.tif 000014
【図１３】
2006195880.tif 000015